(57)【要約】【課題】下位の物品から上位の物品を生産する生産工程にて生産される最上位の物品である製品の生産管理の支援において、データベース管理作業に要する負荷を軽減する生産管理方法、生産管理支援装置及びコンピュータプログラムを提供する。【解決手段】物品の発注先、リードタイム、作業時間及び勘定項目等の物品付属情報を記録した物品データベースと、上位の物品の生産に要する下位の物品の物品特定情報及び数量を記録した構成データベースと、製品の色及びサイズ等の仕様の項目、該項目に属する白及び青等の仕様の種類を特定する種類特定情報、及び種類の名称を記録した仕様データベースとを用いて、製品の物品特定情報、種類特定情報及び数量を受け付ける毎に、製品を生産するための物品の階層構造に基づき仕様の種類に関する情報を抽出して生産管理情報を生成する。【選択図】        図１
2004192281.tif 000002
【特許請求の範囲】
【請求項１】
下位の物品から上位の物品を生産する生産工程にて生産される最上位の物品である製品の生産管理を支援する生産管理支援装置を用いた生産管理方法において、
前記生産管理支援装置は、
最上位の物品である製品を特定する物品特定情報、物品の仕様の種類を特定する種類特定情報及び数量を受け付け、
物品特定情報に基づいて、物品を特定する物品特定情報に対応付けて物品に関する物品付属情報を記録する物品データベースから物品付属情報を抽出し、
物品特定情報に基づいて、上位の物品の生産に要する下位の物品の物品特定情報及び下位の物品の数量を記録する構成データベースから下位の物品の物品特定情報及び数量を抽出し、
受け付けた製品の数量及び種類特定情報により特定される仕様の種類、並びに階層的に抽出される物品付属情報、下位の物品の物品特定情報及び数量に基づいて生産管理に要する生産管理情報を生成する
ことを特徴とする生産管理方法。
【請求項２】
下位の物品から上位の物品を生産する生産工程にて生産される最上位の物品である製品の生産管理を支援する生産管理支援装置において、
物品を特定する物品特定情報に対応付けて物品に関する物品付属情報を記録する物品データベースと、
上位の物品の生産に要する下位の物品の物品特定情報及び下位の物品の数量を記録する構成データベースと、
最上位の物品である製品を特定する物品特定情報、仕様の種類を特定する種類特定情報及び数量を受け付ける手段と、
物品特定情報に基づいて、物品データベースから物品付属情報を抽出する手段と、
物品特定情報に基づいて、下位の物品の物品特定情報及び数量を構成データベースから抽出する手段と、
受け付けた製品の数量及び種類特定情報により特定される仕様の種類、並びに階層的に抽出される物品付属情報、下位の物品の物品特定情報及び数量に基づいて生産管理に要する生産管理情報を生成する生成手段と
を備えることを特徴とする生産管理支援装置。
【請求項３】
前記物品データベースは、物品特定情報に対応付けて物品の名称及び物品の仕様の項目を記録してあり、
仕様の項目、該項目に属する仕様の種類を特定する種類特定情報、及び種類の名称を対応付けて記録する仕様データベースと、
物品特定情報に基づいて、物品データベースから物品の名称及び仕様の項目を抽出する手段と、
抽出した仕様の項目及び受け付けた種類特定情報に基づいて、仕様データベースから種類の名称を抽出する手段と、
抽出した物品の名称及び種類の名称に基づいて製品の名称を作成する手段と
を備え、
前記生成手段は、作成した製品の名称を示した生産管理情報を生成すべくなしてある
ことを特徴とする請求項２に記載の生産管理支援装置。
【請求項４】
下位の物品から上位の物品を生産する生産工程にて生産される最上位の物品である製品の生産管理を支援する生産管理支援装置において、
仕様の項目に属する仕様の種類を特定する種類特定情報、及び仕様の項目に関連する仕様を示す関連仕様の種類を特定する関連種類特定情報を対応付けて記録する関連仕様データベースと、
物品を特定する物品特定情報に対応付けて物品の名称、物品に関する物品付属情報、物品の仕様の項目及び関連仕様の項目を記録する物品データベースと、
仕様の項目、該項目に属する仕様の種類を特定する種類特定情報、及び仕様の種類の名称、又は関連仕様の項目、該項目に属する関連仕様の種類を特定する関連種類特定情報、及び関連仕様の種類の名称を対応付けて記録する仕様データベースと、
上位の物品の生産に要する下位の物品の物品特定情報及び下位の物品の数量を記録する構成データベースと、
最上位の物品である製品を特定する物品特定情報、種類特定情報及び数量を受け付ける手段と、
種類特定情報に基づいて、関連仕様データベースから関連種類特定情報を抽出する手段と、
物品特定情報に基づいて、物品データベースから物品の名称、物品付属情報、仕様の項目及び関連仕様の項目を抽出する手段と、
種類特定情報、関連仕様データベースから抽出した関連種類特定情報、物品データベースから抽出した仕様の項目及び関連仕様の項目に基づいて、仕様データベースから対応する仕様の種類の名称及び関連仕様の種類の名称を抽出する手段と、
物品特定情報に基づいて、下位の物品の物品特定情報及び数量を構成データベースから抽出する手段と、
受け付けた数量、仕様の種類の名称及び関連仕様の種類の名称、階層的に抽出される物品の名称、物品付属情報、下位の物品の物品特定情報及び数量に基づいて生産管理に要する生産管理情報を生成する生成手段と
を備えることを特徴とする生産管理支援装置。
【請求項５】
コンピュータに、下位の物品から上位の物品を生産する生産工程にて生産される最上位の物品である製品の生産管理を支援させるコンピュータプログラムにおいて、
最上位の物品である製品を特定する物品特定情報、物品の仕様の種類を特定する種類特定情報及び数量を受け付けた場合に、
コンピュータに、物品特定情報に基づいて、上位の物品の生産に要する下位の物品の物品特定情報及び下位の物品の数量を記録する構成データベースから下位の物品の物品特定情報及び数量を抽出させる手順と、
コンピュータに、物品特定情報に基づいて、物品を特定する物品特定情報に対応付けて物品に関する物品付属情報を記録する物品データベースから物品付属情報を抽出させる手順と、
コンピュータに、受け付けた製品の数量及び種類特定情報により特定される仕様の種類、並びに階層的に抽出される物品付属情報、下位の物品の物品特定情報及び数量に基づいて生産管理に要する生産管理情報を生成させる手順と
を実行させることを特徴とするコンピュータプログラム。
【発明の詳細な説明】
【０００１】
【発明の属する技術分野】
本発明は、部品及び材料等の下位の物品から上位の物品を生産する生産工程にて生産される最上位の物品である製品の生産管理を支援させる生産管理方法、その方法を適用した生産管理支援装置、及びその装置を実現するためのコンピュータプログラムに関し、特に製品を生産する場合に各関係者へ配布する手配情報等の生産管理情報の生成及び物品の名称の作成を支援する生産管理方法、生産管理支援装置及びコンピュータプログラムに関する。
【０００２】
【従来の技術】
製品を生産する場合、先ず部品及び材料等の下位の物品を調達し、調達した下位の物品から上位の物品を生産するという工程を繰り返し、これにより最終的に最上位の物品である製品が生産される。
決められた納期に決められた数量の製品を生産するためには、必要な部品及び材料等の物品を製品の生産に間に合うように調達すべく生産及び物流等の関係部署に手配をする必要があり、そのため製品毎に必要な部品及び材料並びに納期等の手配に要する情報をデータベース化して管理している。
また同じ製品であっても色及びサイズ等の仕様が異なる場合があり、その様な場合は夫々の仕様の夫々の種類毎の情報をレコード（マスタ情報）としてデータベース（マスタ）に記録しておき、必要に応じてデータベースから抽出し出力させる。
【０００３】
従来の生産管理を支援する生産管理支援装置のデータベース構成について説明する。
図１４は従来の生産管理支援装置により生産管理を支援される製品の構成を概念的に示すブロック図である。
ここでは図１４に示すように下位の物品である「材料Ａ０１」及び「材料Ｂ０１」から上位の物品である「部品Ｙ０１」を生産し、生産した「部品Ｙ０１」と別途調達した物品である「部品Ｚ０１」とから最上位の物品である「製品Ｘ０１」を生産するものとして以降の説明を行う。
「製品Ｘ０１」は７種類の色及び５種類のサイズの仕様が異なる製品構成があり、「製品Ｘ０１」の種類の違いに応じて、色及びサイズが異なる「部品Ｙ０１」及び「材料Ａ０１」を準備しなければならない。
なお「材料Ｂ０１」は全ての種類に共通であり、「部品Ｚ０１」はサイズ毎に異なるものを準備する必要があるが、色の種類の差異に対しては考慮する必要がないものとする。
このような「製品Ｘ０１」の生産管理の支援に用いられる名称及び生産時間等のデータをレコードとして記録するデータベースは、「製品Ｘ０１」の７種類の色及び５種類のサイズの組み合わせである３５種類分のデータを記録する３５のレコードが必要となる。
同様にして「部品Ｙ０１」の管理には３５のレコードを要し、「部品Ｚ０１」の管理には５のレコードを要し、そして「材料Ａ０１」の管理には３５のレコードを要する。
なお「材料Ｂ０１」については、全種類に共通であるので１のレコードで良い。
そして製品の構成を記録するデータベースには、１の製品について「製品Ｘ０１」及び「部品Ｙ０１」の関係、「製品Ｘ０１」及び「部品Ｚ０１」の関係、「部品Ｙ０１」及び「材料Ａ０１」の関係並びに「部品Ｙ０１」及び「材料Ｂ０１」の関係を示した４のレコードを必要とし、更に４のレコードは３５種類の製品毎に必要であるため、１４０のレコードを要する。
そして製品構成を変更する場合、例えば色を１色追加する場合、「製品Ｘ０１」、「部品Ｙ０１」、「部品Ｚ０１」及び「材料Ａ０１」の夫々のデータベース並びに製品の構成を記録するデータベースについてレコードを追加しなければならない。
【０００４】
従来の生産設計部門における構成部品を管理するシステムとして、製品の構成部品情報と、部品表等の系統部品情報とを同時に連動して表示することで構成部品情報を容易に参照できるようにしたシステムがある（例えば特許文献１参照）。
【０００５】
【特許文献１】
特願平１０−３１７４８１号公報
【０００６】
【発明が解決しようとする課題】
しかしながら従来の生産管理の支援に用いられる装置では、製品の全ての種類についてまた全ての物品について夫々異なるレコードを準備する必要があるので、レコード数が多く仕様の変更及び追加等の製品の構成が変化する場合にデータベース管理作業に要する負荷が大きいという問題がある。
特に多品種の製品を扱う場合、この作業負荷が無視することのできない大きな問題となる。
また特許文献１に開示されている発明では製品の構成部品情報を確認することは容易であるがデータベース管理作業に要する負荷を軽減することはできない。
【０００７】
本発明は斯かる事情に鑑みてなされたものであり、物品の発注先、リードタイム、作業時間及び勘定項目等の物品付属情報を記録した物品データベースと、上位の物品の生産に要する下位の物品の物品特定情報及び数量を記録した構成データベースと、製品の色及びサイズ等の仕様の項目、該項目に属する白及び青等の仕様の種類を特定する種類特定情報、並びに種類の名称を記録した仕様データベースとを用いて、製品の物品特定情報、種類特定情報及び数量を受け付ける毎に、製品を生産するための物品の階層構造に基づき仕様の種類に関する情報を抽出して生産管理情報を生成することにより、データベース管理作業に要する負荷を軽減することが可能な生産管理方法、その方法を適用した生産管理支援装置、及びその装置を実現するためのコンピュータプログラムの提供を目的とする。
【０００８】
【課題を解決するための手段】
第１発明に係る生産管理方法は、下位の物品から上位の物品を生産する生産工程にて生産される最上位の物品である製品の生産管理を支援する生産管理支援装置を用いた生産管理方法において、前記生産管理支援装置は、最上位の物品である製品を特定する物品特定情報、物品の仕様の種類を特定する種類特定情報及び数量を受け付け、物品特定情報に基づいて、物品を特定する物品特定情報に対応付けて物品に関する物品付属情報を記録する物品データベースから物品付属情報を抽出し、物品特定情報に基づいて、上位の物品の生産に要する下位の物品の物品特定情報及び下位の物品の数量を記録する構成データベースから下位の物品の物品特定情報及び数量を抽出し、受け付けた製品の数量及び種類特定情報により特定される仕様の種類、並びに階層的に抽出される物品付属情報、下位の物品の物品特定情報及び数量に基づいて生産管理に要する生産管理情報を生成することを特徴とする。
【０００９】
第１発明に係る生産管理方法では、構成データベースとして上位の物品の生産に要する下位の物品の物品特定情報及び数量を記録しておき、物品データベースとして物品の発注先、リードタイム、作業時間及び勘定科目等の物品付属情報を記録しておき、製品を特定する物品特定情報、種類特定情報及び種類特定情報を受け付ける毎に、構成及び物品付属情報を抽出して、生産及び物流等の関係部署に対して物品の手配等の生産の準備を行う生産管理情報を生成することにより、構成データベース及び物品データベースに記録されている最小限のデータから生産に必要な物品に関する情報を都度抽出して生産管理情報を生成するので、予め製品毎に生産管理情報を準備しておく必要がなく、これにより例えば必要な物品についての情報が変更される場合でも物品データベースの対応するレコードだけを変更すれば良く、また下位の物品の発注先の変更等の変更を行う場合でも物品データベース中の該当するレコードを変更するだけで良いので、データベース管理作業に要する負荷を軽減することが可能である。
【００１０】
第２発明に係る生産管理支援装置は、下位の物品から上位の物品を生産する生産工程にて生産される最上位の物品である製品の生産管理を支援する生産管理支援装置において、物品を特定する物品特定情報に対応付けて物品に関する物品付属情報を記録する物品データベースと、上位の物品の生産に要する下位の物品の物品特定情報及び下位の物品の数量を記録する構成データベースと、最上位の物品である製品を特定する物品特定情報、仕様の種類を特定する種類特定情報及び数量を受け付ける手段と、物品特定情報に基づいて、物品データベースから物品付属情報を抽出する手段と、物品特定情報に基づいて、下位の物品の物品特定情報及び数量を構成データベースから抽出する手段と、受け付けた製品の数量及び種類特定情報により特定される仕様の種類、並びに階層的に抽出される物品付属情報、下位の物品の物品特定情報及び数量に基づいて生産管理に要する生産管理情報を生成する生成手段とを備えることを特徴とする。
【００１１】
第２発明に係る生産管理支援装置では、上位の物品の生産に要する下位の物品の物品特定情報及び数量を記録した構成データベースと、物品の発注先、リードタイム、作業時間及び勘定科目等の物品付属情報を記録した物品データベースとを用いて、製品を特定する物品特定情報、種類特定情報及び数量を受け付ける毎に、構成及び物品付属情報を抽出して、生産及び物流等の関係部署に対して物品の手配等の生産の準備を行う生産管理情報を生成することにより、構成データベース及び物品データベースに記録されている最小限のデータから生産に必要な物品に関する情報を都度抽出して生産管理情報を生成するので、予め製品毎に生産管理情報を準備しておく必要が無く、これにより例えば必要な物品についての情報が変更される場合でも物品データベースの対応するレコードだけを変更すれば良く、また新たな製品を追加する場合でも構成データベースに新たなレコードを一つ追加するだけで良いので、データベース管理作業に要する負荷を軽減することが可能である。
【００１２】
第３発明に係る生産管理支援装置は、第２発明において、前記物品データベースは、物品特定情報に対応付けて物品の名称及び物品の仕様の項目を記録してあり、仕様の項目、該項目に属する仕様の種類を特定する種類特定情報、及び種類の名称を対応付けて記録する仕様データベースと、物品特定情報に基づいて、物品データベースから物品の名称及び仕様の項目を抽出する手段と、抽出した仕様の項目及び受け付けた種類特定情報に基づいて、仕様データベースから種類の名称を抽出する手段と、抽出した物品の名称及び種類の名称に基づいて製品の名称を作成する手段とを備え、前記生成手段は、作成した製品の名称を示した生産管理情報を生成すべくなしてあることを特徴とする。
特に作成する製品の名称として物品の名称及び種類の名称に基づく品名だけでなく、物品特定情報及び種類特定情報に基づいて品番をも作成することにより、品番に基づいて管理が行われる部署への作業手配を円滑化することが可能である。
【００１３】
第３発明に係る生産管理支援装置では、製品の色及びサイズ等の仕様における白及び青並びにＳサイズ及びＭサイズ等の仕様の種類の入力を受け付ける毎に、仕様の種類に関する情報を抽出して生産管理情報を生成することにより、例えば多品種生産により製品の仕様の種類が増加した場合でも仕様データベースの種類についての情報及び物品データベースの仕様の項目等の関連するレコードだけを修正すれば良く、増加した種類に関連する全ての製品に関するレコードを修正する必要が無いので、データベース管理作業に要する負荷を軽減することが可能である。
また物品データベースから抽出した物品の名称及び仕様データベースから抽出した種類の名称に基づいて製品の名称を作成することにより、製品の命名方法を標準化することが可能である。
特に作成する製品の名称として物品の名称及び種類の名称に基づく品名だけでなく、物品特定情報及び種類特定情報に基づいて品番をも作成することにより、品番に基づいて管理を行う部署への作業手配を円滑化することが可能である。
【００１４】
第４発明に係る生産管理支援装置は、下位の物品から上位の物品を生産する生産工程にて生産される最上位の物品である製品の生産管理を支援する生産管理支援装置において、仕様の項目に属する仕様の種類を特定する種類特定情報、及び仕様の項目に関連する仕様を示す関連仕様の種類を特定する関連種類特定情報を対応付けて記録する関連仕様データベースと、物品を特定する物品特定情報に対応付けて物品の名称、物品に関する物品付属情報、物品の仕様の項目及び関連仕様の項目を記録する物品データベースと、仕様の項目、該項目に属する仕様の種類を特定する種類特定情報、及び仕様の種類の名称、又は関連仕様の項目、該項目に属する関連仕様の種類を特定する関連種類特定情報、及び関連仕様の種類の名称を対応付けて記録する仕様データベースと、上位の物品の生産に要する下位の物品の物品特定情報及び下位の物品の数量を記録する構成データベースと、最上位の物品である製品を特定する物品特定情報、種類特定情報及び数量を受け付ける手段と、種類特定情報に基づいて、関連仕様データベースから関連種類特定情報を抽出する手段と、物品特定情報に基づいて、物品データベースから物品の名称、物品付属情報、仕様の項目及び関連仕様の項目を抽出する手段と、種類特定情報、関連仕様データベースから抽出した関連種類特定情報、物品データベースから抽出した仕様の項目及び関連仕様の項目に基づいて、仕様データベースから対応する仕様の種類の名称及び関連仕様の種類の名称を抽出する手段と、物品特定情報に基づいて、下位の物品の物品特定情報及び数量を構成データベースから抽出する手段と、受け付けた数量、仕様の種類の名称及び関連仕様の種類の名称、階層的に抽出される物品の名称、物品付属情報、下位の物品の物品特定情報及び数量に基づいて生産管理に要する生産管理情報を生成する生成手段とを備えることを特徴とする。
【００１５】
第４発明に係る生産管理支援装置では、種類特定情報及び関連種類特定情報を記録する関連仕様データベースと、物品の発注先、リードタイム、作業時間及び勘定科目等の物品付属情報を記録した物品データベースと、製品の色及びサイズ等の仕様の項目、種類特定情報、並びに白及びＳサイズ等の種類の名称、又は関連仕様の項目、関連種類特定情報、並びにφ１２０及び５０ｍｍ等の名称を記録した仕様データベースと、上位の物品の生産に要する下位の物品の物品特定情報及び数量を記録した構成データベースとを用いて、製品を特定する物品特定情報、種類特定情報及び数量を受け付ける毎に、関連種類特定情報、物品付属情報、仕様の項目、関連仕様の項目、並びに構成として下位の物品の物品特定情報及び数量を抽出して、生産及び物流等の関係部署に対して物品の手配等の生産の準備を行う生産管理情報を生成することにより、関連仕様データベース、物品データベース、仕様データベース及び構成データベースに記録されている最小限のデータから生産に必要な物品に関する情報を都度抽出して生産管理情報を生成するので、予め製品毎に生産管理情報を準備しておく必要が無く、これにより例えば必要な物品についての情報が変更される場合でも物品データベースの対応するレコードだけを変更すれば良く、また新たな製品を追加する場合でも構成データベースに新たなレコードを一つ追加するだけで良いので、変更した製品及びその下位の物品に関連する全てのレコードを変更する必要が無いので、データベース管理作業に要する負荷を軽減することが可能である。
また仕様データベースから抽出した仕様の種類の名称及び関連仕様の種類の名称に基づいて作成した製品の名称を生産管理情報に示すことにより、製品の命名方法を標準化することが可能である。
特に作成する製品の名称として物品の名称及び種類の名称に基づく品名だけでなく、物品特定情報及び種類特定情報に基づいて品番をも作成することにより、品番に基づいて管理を行う部署への作業手配を円滑化することが可能である。
さらに下位の物品の購入等の調達を行う場合に、調達先にて用いられている用語に応じてＳサイズ及びφ１２０等の名称の使い分けを行うことにより、調達先にて用いられている用語の差異を意識することなく物品の調達を円滑に行うことが可能である。
【００１６】
第５発明に係るコンピュータプログラムは、コンピュータに、下位の物品から上位の物品を生産する生産工程にて生産される最上位の物品である製品の生産管理を支援させるコンピュータプログラムにおいて、最上位の物品である製品を特定する物品特定情報、物品の仕様の種類を特定する種類特定情報及び数量を受け付けた場合に、コンピュータに、物品特定情報に基づいて、上位の物品の生産に要する下位の物品の物品特定情報及び下位の物品の数量を記録する構成データベースから下位の物品の物品特定情報及び数量を抽出させる手順と、コンピュータに、物品特定情報に基づいて、物品を特定する物品特定情報に対応付けて物品に関する物品付属情報を記録する物品データベースから物品付属情報を抽出させる手順と、コンピュータに、受け付けた製品の数量及び種類特定情報により特定される仕様の種類、並びに階層的に抽出される物品付属情報、下位の物品の物品特定情報及び数量に基づいて生産管理に要する生産管理情報を生成させる手順とを実行させることを特徴とする。
【００１７】
第５発明に係るコンピュータプログラムでは、コンピュータにて実行することにより、コンピュータが生産管理支援装置として動作し、上位の物品の生産に要する下位の物品の物品特定情報及び数量を記録した構成データベースと、物品の発注先、リードタイム、作業時間及び勘定科目等の物品付属情報を記録した物品データベースとを用いて、製品を特定する物品特定情報、種類特定情報及び数量を受け付ける毎に、構成及び物品付属情報を抽出して、生産及び物流等の関係部署に対して物品の手配等の生産の準備を行う生産管理情報を生成することにより、構成データベース及び物品データベースに記録されている最小限のデータから生産に必要な物品に関する情報を都度抽出して生産管理情報を生成するので、予め製品毎に生産管理情報を準備しておく必要が無く、これにより例えば必要な物品についての情報が変更される場合でも物品データベースの対応するレコードだけを変更すれば良く、また下位の物品の発注先の変更等の変更を行う場合でも物品データベース中の該当するレコードを変更するだけで良いので、データベース管理作業に要する負荷を軽減することが可能である。
【００１８】
【発明の実施の形態】
以下、本発明をその実施の形態を示す図面に基づいて詳述する。
実施の形態１．
図１は本発明の実施の形態１における生産管理支援装置の構成を示すブロック図である。
図１中１０は汎用型コンピュータを用いた本発明の生産管理支援装置であり、生産管理支援装置１０は、部品及び材料等の下位の物品から上位の物品を生産する生産工程にて生産される最上位の物品である製品の生産管理の支援に用いられる。
生産管理支援装置１０は、装置全体を制御するＣＰＵ１１、本発明のコンピュータプログラムＰＧ及びデータ等の各種情報を記録したＣＤ−ＲＯＭ等の記録媒体ＲＥＣから各種情報を読み取るＣＤ−ＲＯＭドライブ等の補助記憶手段１２、補助記憶手段１２により読み取られたコンピュータプログラムＰＧ及びデータ等の各種情報を記録するハードディスク等の記録手段１３、各種処理に用いられる情報を一時的に記憶するＲＡＭ１４、マウス及びキーボード等の入力手段１５、並びにモニタ及びプリンタ等の出力手段１６を備えている。
そして記録手段１３から本発明のコンピュータプログラムＰＧ及びデータ等の各種情報を読み取り、ＲＡＭ１４に記憶させてコンピュータプログラムＰＧに含まれる各種手順をＣＰＵ１１により実行することで、汎用型コンピュータは本発明の生産管理支援装置１０として動作する。
【００１９】
また記録手段１３の記録領域の一部は、物品を特定する物品特定情報に対応付けて物品の名称、物品の仕様及び物品に関する物品付属情報を記録する物品データベース（物品ＤＢ）１３ａ、上位の物品の生産に要する下位の物品の物品特定情報及び下位の物品の数量を記録する構成データベース（構成ＤＢ）１３ｂ、並びに仕様の項目、該項目に属する仕様の種類を特定する種類特定情報、及び種類の名称を対応付けて記録する仕様データベース（仕様ＤＢ）１３ｃ等の各種データベース（マスタ）として用いられている。
【００２０】
次に本発明の生産管理支援装置１０が備える各種データベースについて説明する。
図２は本発明の実施の形態１における生産管理支援装置１０が備える物品データベース１３ａの記録内容を概念的に示す説明図である。
物品データベース１３ａは、物品特定情報、物品の名称、物品の仕様及び物品付属情報を対応付けたレコード（マスタ情報）として記録している。
物品特定情報とは、「Ｘ０１」及び「Ｙ０１」等の物品を特定する情報であり、物品の名称、物品の仕様及び物品付属情報を抽出するためのキーとして用いられる情報である。
物品の名称とは、「製品Ｘ０１」及び「部品Ｙ０１」等の物品に付与された名称である。
物品の仕様とは、物品に複数の種類がバリエーションとして存在する場合にその種類の項目を示した情報であり、図２に示す例では、「製品Ｘ０１」及び「部品Ｙ０１」には、「色」及び「サイズ」についての仕様があり、「部品Ｚ０１」には、「サイズ」についての仕様があり、また「材料Ｂ０１」には仕様が無いことを示している。
即ち「製品Ｘ０１」の「色」及び「サイズ」は複数種類の中から選択できることを示している。
物品付属情報とは、物品の発注先、リードタイム、作業時間及び勘定科目等の物品の生産及び購入等の物品の調達に要する情報である。
【００２１】
図３は本発明の実施の形態１における生産管理支援装置１０が備える構成データベース１３ｂの記録内容を概念的に示す説明図である。
構成データベース１３ｂは、上位の物品の物品特定情報に対応付けたレコードとして、下位の物品の物品特定情報及び下位の物品の数量が記録されており、更に下位の物品から上位の物品を生産する上での特記事項を示す構成付属情報が記録されている。
図３に示す例では、上位の物品の物品特定情報「Ｘ０１」に下位の物品の物品特定情報「Ｙ０１」、下位の物品の数量「１個」及び構成付属情報が対応付けられたレコード、上位の物品の物品特定情報「Ｘ０１」に下位の物品の物品特定情報「Ｚ０１」、下位の物品の数量「２本」及び構成付属情報が対応付けられたレコード、上位の物品の物品特定情報「Ｙ０１」に下位の物品の物品特定情報「Ａ０１」、下位の物品の数量「１個」及び構成付属情報が対応付けられたレコード、並びに上位の物品の物品特定情報「Ｙ０１」に下位の物品の物品特定情報「Ｂ０１」、下位の物品の数量「５ｇ」及び構成付属情報が対応付けられたレコードが記録されている。
これらのレコードより、物品特定情報「Ｘ０１」として示される「製品Ｘ０１」には、物品特定情報「Ｙ０１」として示される「部品Ｙ０１」が１個と、物品特定情報「Ｚ０１」として示される「部品Ｚ０１」が２本必要であるという製品についての構成を確認することができる。
さらに「部品Ｙ０１」には、物品特定情報「Ａ０１」として示される「材料Ａ０１」が１個と、部品特定情報「Ｂ０１」として示される「材料Ｂ０１」が５ｇ必要であるということを確認することができる。
このように構成データベース１３ｂからは製品を生産するために必要な下位の物品が階層的に示されている。
なお構成付属情報とは、下位の物品についての不良率及び有効期間等の情報である。
【００２２】
図４は本発明の実施の形態１における生産管理支援装置１０が備える仕様データベース１３ｃの記録内容を概念的に示す説明図である。
仕様データベース１３ｃは、仕様の項目、種類特定情報及び種類の名称を対応付けたレコードとして記録している。
種類特定情報とは、各仕様の項目の種類を特定するための情報であり、「０１」、「０２」及び「Ｓ」等のコードとして示されている。
種類の名称とは、仕様の種類に対応付けられた名称であり、「白」、「青」及び「Ｓサイズ」等の名称がある。
図４に示す例では、仕様の項目「色」には、「０１」、「０２」、…、「０７」の種類特定情報にて示される「白」、「青」、…、「黒」が対応付けられており、白、青及び黒等の７色の種類があることを示している。
同様にして仕様の項目「サイズ」には、「Ｓ」、「Ｍ」、…、「ＸＬ」の種類特定情報にて示される「Ｓサイズ」、「Ｍサイズ」、…、「ＸＬサイズ」が対応付けられており、Ｓサイズ、Ｍサイズ及びＸＬサイズ等の５種類のサイズがあることを示している。
【００２３】
図５は本発明の実施の形態１における生産管理支援装置１０により生産管理を支援される製品Ｘ０１の構成を概念的に示すブロック図である。
構成データベース１３ｂに示されるように、製品Ｘ０１は、１個の部品Ｙ０１及び２本の部品Ｚ０１から生産され、更に部品Ｙ０１は、１個の材料Ａ０１及び５ｇの材料Ｂ０１から生産される。
また物品データベース１３ａ及び仕様データベース１３ｃに示されるように、製品Ｘ０１には、白、青及び黒等の７種類の色についての仕様、並びにＳサイズ、Ｍサイズ及びＸＬサイズ等の５種類のサイズについての仕様がある。
同様にして、部品Ｙ０１及び材料Ａ０１は、白、青及び黒等の７種類の色についての仕様、並びにＳサイズ、Ｍサイズ及びＸＬサイズ等の５種類のサイズについての仕様がある。
また部品Ｚ０１はサイズについての仕様しかなく、材料Ｂ０１に仕様はない。これは色が異なる製品Ｘ０１を生産する場合、その色に応じた部品Ｙ０１及び材料Ａ０１を手配する必要があるが、部品Ｚ０１及び材料Ｂ０１については共通の物品を用いることが可能であることを示している。
【００２４】
次に本発明の実施の形態１における生産管理支援装置１０の処理について説明する。
図６は本発明の実施の形態１における生産管理支援装置１０の処理を示すフローチャートである。
生産管理支援装置１０を操作する担当者は、生産及び物流等の関係部署に対して物品の手配等の生産の準備に用いる生産管理情報を生産管理支援装置１０から出力させる場合に、生産すべき製品を特定する物品特定情報、生産すべき製品の種類を特定する種類特定情報及び生産すべき製品の数量を生産管理支援装置１０に入力する。
生産管理支援装置１０は、ＲＡＭ１４に記憶させたコンピュータプログラムＰＧを実行するＣＰＵ１１の制御により、物品特定情報、種類特定情報及び数量を入力手段１５から入力情報として受け付ける（Ｓ１０１）。
なおここでは入力情報として物品特定情報「Ｘ０１」、種類特定情報「０２」及び「Ｓ」、そして数量「７」を受け付けたものとして以下の処理を説明する。
【００２５】
生産管理支援装置１０では、ＲＡＭ１４に記憶させたコンピュータプログラムＰＧを実行するＣＰＵ１１の制御により、ステップＳ１０１にて入力情報として受け付けた製品の物品特定情報を検索キーとして、物品データベース１０ａから物品の名称を抽出し（Ｓ１０２）、仕様の項目を抽出し（Ｓ１０３）、更に物品付属情報を抽出する（Ｓ１０４）。
ステップＳ１０２、Ｓ１０３及びＳ１０４の抽出では物品特定情報「Ｘ０１」に対応付けられている物品の名称として「製品Ｘ０１」、物品特定情報「Ｘ０１」に対応付けられている仕様の項目として「色」及び「サイズ」、そして物品特定情報「Ｘ０１」に対応付けられている物品付属情報が抽出される。
【００２６】
生産管理支援装置１０では、ＲＡＭ１４に記憶させたコンピュータプログラムＰＧを実行するＣＰＵ１１の制御により、ステップＳ１０３にて抽出した仕様の項目及びステップＳ１０１にて入力情報として受け付けた種類特定情報を検索キーとして、仕様データベース１３ｃから種類の名称を抽出する（Ｓ１０５）。
ステップＳ１０５の抽出では、種類の名称として「色」及び「０２」に対応付けられた「青」並びに「サイズ」及び「Ｓ」に対応付けられた「Ｓサイズ」が抽出される。
【００２７】
生産管理支援装置１０では、ＲＡＭ１４に記憶させたコンピュータプログラムＰＧを実行するＣＰＵ１１の制御により、ステップＳ１０２にて抽出した物品の名称及びステップＳ１０５にて抽出した種類の名称に基づいて当該物品、ここでは製品の名称を作成する（Ｓ１０６）。
ステップＳ１０６で作成される製品の名称とは、「製品Ｘ０１  青  Ｓサイズ」というように物品の名称及び種類の名称を予め標準化している規則に則って組み合わせた品名を示す名称である。
なおこのとき物品特定情報及び種類特定情報に基づいて「Ｘ０１−０２Ｓ」というような品番を示す名称も作成される。
【００２８】
生産管理支援装置１０では、ＲＡＭ１４に記憶させたコンピュータプログラムＰＧを実行するＣＰＵ１１の制御により、構成データベース１３ｂを参照して、ステップＳ１０１にて入力情報として受け付けた物品特定情報を上位の物品の物品特定情報とするレコードの有無を判定し（Ｓ１０７）、レコードが有ると判定した場合（Ｓ１０７：ＹＥＳ）、当該物品特定情報を検索キーとして、構成データベース１３ｂから下位の物品の物品特定情報を抽出し（Ｓ１０８）、数量を抽出し（Ｓ１０９）、更に構成付属情報を抽出する（Ｓ１１０）。
ステップＳ１０８、Ｓ１０９及びＳ１１０の抽出により物品特定情報「Ｘ０１」を上位の物品の物品特定情報とする２つのレコードから、物品特定情報「Ｙ０１」、数量「１個」及び対応する構成付属情報、並びに物品特定情報「Ｚ０１」、数量「２本」及び対応する構成付属情報が抽出される。
【００２９】
生産管理支援装置１０では、ＲＡＭ１４に記憶させたコンピュータプログラムＰＧを実行するＣＰＵ１１の制御により、ステップＳ１０１にて入力情報として受け付けた種類特定情報及びステップＳ１０８にて抽出した物品特定情報、並びにステップＳ１０１にて入力情報として受け付けた数量及びステップＳ１０９にて抽出した数量に基づいて入力情報を生成する（Ｓ１１１）。
ステップＳ１１１にて生成される入力情報は、上位の物品に対応付けられた下位の物品を調達するための入力情報であり、構成データベース１３ｂにて上位の物品の物品特定情報に対応付けられているレコードの数だけ生成される。
ここでは物品特定情報「Ｙ０１」、種類特定情報「０２」及び「Ｓ」、そして数量「７」である入力情報と、物品特定情報「Ｚ０１」、種類特定情報「０２」及び「Ｓ」、そして数量「１４」である入力情報とが生成される。
なお数量の「７」及び「１４」とは、ステップＳ１０１にて入力情報として受け付けた数量「７」と、ステップＳ１０９にて抽出された数量「１個」及び「２本」との積である。
【００３０】
そして生産管理支援装置１０では、ＲＡＭ１４に記憶させたコンピュータプログラムＰＧを実行するＣＰＵ１１の制御により、ステップＳ１１１にて生成された入力情報を、ステップＳ１０１にて受け付けた入力情報に換わる新たな入力情報としてステップＳ１０２に進み、新たな入力情報及び各データベースに基づいて以降の処理を繰り返す。
なお入力情報が複数である場合は、夫々の入力情報について同様の処理を行う。
【００３１】
そして最上位の物品である製品から最下位の物品にまで同様の処理を階層的に繰り返し、全ての物品について各種情報の生成及び名称の作成が完了した場合、即ちステップＳ１０７の判定にて、入力情報の物品特定情報を上位の物品の物品特定情報とするレコードが無いと判定した場合（Ｓ１０７：ＮＯ）、生産管理支援装置１０では、ＲＡＭ１４に記憶させたコンピュータプログラムＰＧを実行するＣＰＵ１１の制御により、ステップＳ１０１にて入力情報として受け付けた製品の数量及び種類特定情報により特定される仕様の種類、並びにステップＳ１０２乃至Ｓ１１１の処理により階層的に抽出された物品の名称、物品付属情報、構成付属情報及び数量に基づく、ステップＳ１０６にて作成した名称が示された生産管理情報を生成し（Ｓ１１２）、生成した生産管理情報を出力手段１６から出力する（Ｓ１１３）。
【００３２】
図７は本発明の実施の形態１における生産管理支援装置１０から出力される生産管理情報を示す説明図である。
生産管理情報には、品番及び品名等の名称、数量、物品付属情報及び構成付属情報が物品毎に示されている。
最上位の物品は、品番「Ｘ０１−０２Ｓ」及び品名「製品Ｘ０１  青  Ｓサイズ」という名称の製品であり、以下製品を生産するために要する下位の物品についての情報が示されている。
そして担当者は出力された生産管理情報を関係部署に配布することで製品の生産の手配を行う。
上述した製品の例では、物品データベース１３ａのレコード数が５、構成データベース１３ｂのレコード数が４、そして仕様データベース１３ｃのレコード数が１２で良く、また例えば新しい色の追加するという場合でも仕様データベース１３ｃのレコード数を１増加させるだけで良いので、データベース管理作業に要する負荷を軽減することが可能である。
【００３３】
実施の形態２．
実施の形態２は、実施の形態１において、「サイズ」等の仕様の項目に関連する仕様を示す関連仕様を、仕様と併用する形態であり、例えば仕様の項目「サイズ」に関連する関連仕様の項目として「本体径」及び「取手長」等の項目が用いられる
図８は本発明の実施の形態２における生産管理支援装置の構成を示すブロック図である。
図８中１０は汎用型コンピュータを用いた本発明の生産管理支援装置であり、生産管理支援装置１０は記録手段１３を備え、記録手段１３の記録領域の一部は、物品データベース１３ａ、構成データベース１３ｂ、仕様データベース１３ｃ及び関連仕様データベース（関連仕様ＤＢ）１３ｄ等の各種データベースとして用いられている。
なおその他の構成については実施の形態１と同様であるので、実施の形態１を参照するものとし、その説明を省略する。
【００３４】
次に本発明の生産管理支援装置１０が備える各種データベースについて説明する。
図９は本発明の実施の形態２における生産管理支援装置１０が備える物品データベース１３ａの記録内容を概念的に示す説明図である。
実施の形態２における物品データベース１３ａは、実施の形態１における物品データベース１３ａと基本的に同様であるが、物品特定情報「Ｙ０１」、「Ｚ０１」及び「Ａ０１」に対応付けられていた物品の仕様を示す「サイズ」が、「サイズ」に関連する関連仕様である「本体径」又は「取手長」になっている。
これは「Ｙ０１」、「Ｚ０１」及び「Ａ０１」を手配する場合に「サイズ」を示して手配を行うより、「本体径」及び「取手長」等の関連仕様を示した方が物品の調達を円滑に行うことができる場合に用いられる。
【００３５】
図１０は本発明の実施の形態２における生産管理支援装置１０が備える仕様データベース１３ｃの記録内容を概念的に示す説明図である。
実施の形態２における仕様データベース１３ｃには、実施の形態１における仕様データベース１３ａと基本的に同様であるが、仕様の項目、種類特定情報及び種類の名称を対応付けたレコードに加えて、関連仕様の項目、該項目に属する仕様の種類を特定する関連種類特定情報及び関連仕様の種類の名称を対応付けたレコードが記録されている。
関連仕様特定情報とは、各関連仕様の項目の種類を特定するための情報であり、「１２」及び「５」等のコードとして示されている。
関連仕様の種類の名称とは、関連仕様の種類に対応付けられた名称であり、「φ１２０」及び「５０ｍｍ」等の名称がある。
図１０に示す例では、関連仕様の項目「本体径」には、「１２」、「１５」、…、「２４」の関連種類特定情報にて示される「φ１２０」、「φ１５０」、…、「φ２４０」が対応付けられており、φ１２０、φ１５０及びφ２４０等の５種類の本体径があることを示している。
同様にして関連仕様の項目「取手長」には、「５」、「６」、…、「９」の関連種類特定情報にて示される「５０ｍｍ」、「６０ｍｍ」、…、「９０ｍｍ」が対応付けられており、５０ｍｍ、６０ｍｍ及び９０ｍｍ等の５種類の取手長があることを示している。
【００３６】
図１１は本発明の実施の形態２における生産管理支援装置１０が備える関連仕様データベース１３ｄの記録内容を概念的に示す説明図である。
実施の形態２における関連仕様データベース１３ｄには、仕様の項目、該項目に属する仕様の種類を特定する種類特定情報、仕様の項目に関連する仕様を示す関連仕様の項目、及び該項目に属する仕様の種類を特定する関連種類特定情報を対応付けたレコードが記録されている。
図１１に示す例では、仕様の項目「サイズ」及び種類特定情報「Ｓ」に対応付けられた関連仕様の項目「本体径」及び関連種類特定情報「１２」、並びに仕様の項目「サイズ」及び種類特定情報「Ｓ」に対応付けられた関連仕様の項目「取手長」及び関連種類特定情報「５」等のレコードが記録されている。
【００３７】
実施の形態２における構成データベース１３ｂは実施の形態１と同様であるので、実施の形態１を参照するものとし、その説明を省略する。
【００３８】
次に本発明の実施の形態２における生産管理支援装置１０の処理について説明する。
図１２は本発明の実施の形態２における生産管理支援装置１０の処理を示すフローチャートである。
生産管理支援装置１０を操作する担当者は、生産及び物流等の関係部署に対して物品の手配等の生産の準備に用いる生産管理情報を生産管理支援装置１０から出力させる場合に、生産すべき製品を特定する物品特定情報、生産すべき製品の種類を特定する種類特定情報及び生産すべき製品の数量を生産管理支援装置１０に入力する。
生産管理支援装置１０は、ＲＡＭ１４に記憶させたコンピュータプログラムＰＧを実行するＣＰＵ１１の制御により、物品特定情報、種類特定情報及び数量を入力手段１５から入力情報として受け付ける（Ｓ２０１）。
【００３９】
なおここでは入力情報として物品特定情報「Ｘ０１」、種類特定情報「０２」及び「Ｓ」、そして数量「７」を受け付けたものとして以下の処理を説明する。
生産管理支援装置１０では、ＲＡＭ１４に記憶させたコンピュータプログラムＰＧを実行するＣＰＵ１１の制御により、ステップＳ２０１にて入力情報として受け付けた種類特定情報を検索キーとして、関連仕様データベース１０ｄから関連種類特定情報を抽出する（Ｓ２０２）。
ステップＳ２０２の抽出では、仕様の項目「サイズ」に属する種類特定情報「Ｓ」に対応付けられた関連仕様の項目「本体径」に属する関連種類特定情報「１２」及び関連仕様の項目「取手長」に属する関連種類特定情報「５」が抽出される。
【００４０】
生産管理支援装置１０では、ＲＡＭ１４に記憶させたコンピュータプログラムＰＧを実行するＣＰＵ１１の制御により、ステップＳ２０１にて入力情報として受け付けた製品の物品特定情報を検索キーとして、物品データベース１０ａから物品の名称を抽出し（Ｓ２０３）、仕様の項目及び関連仕様の項目を抽出し（Ｓ２０４）、更に物品付属情報を抽出する（Ｓ２０５）。
ステップＳ２０４の抽出において、物品特定情報「Ｘ０１」には関連仕様の項目が対応付けられていないため、この段階では関連仕様項目が抽出されることはないが、後述する以降の処理にて例えば物品特定情報「Ｙ０１」を検索キーとして仕様の項目及び関連仕様の項目を抽出する場合には、仕様の項目「色」及び関連仕様の項目「本体径」が抽出される。
【００４１】
生産管理支援装置１０では、ＲＡＭ１４に記憶させたコンピュータプログラムＰＧを実行するＣＰＵ１１の制御により、ステップＳ２０４にて抽出した仕様の項目及び関連仕様の項目並びにステップＳ２０１にて入力情報として受け付けた種類特定情報及びステップＳ２０２にて抽出した関連種類特定情報を検索キーとして、仕様データベース１３ｃから仕様の種類の名称及び関連仕様の種類の名称を抽出する（Ｓ２０６）。
ステップＳ２０６の抽出において、物品特定情報「Ｘ０１」には関連仕様の項目が対応付けられていないため、この段階では関連仕様の種類の名称が抽出されることはないが、後述する以降の処理にて例えばステップＳ２０４にて物品特定情報「Ｙ０１」により関連仕様の項目「本体径」が抽出されている場合には、仕様の項目「色」及び種類特定情報「０２」に対応付けられた「青」並びに関連仕様の項目「本体径」及びステップＳ２０２にて抽出された関連種類特定情報「１２」に対応付けられた「φ１２０」が抽出される。
【００４２】
生産管理支援装置１０では、ＲＡＭ１４に記憶させたコンピュータプログラムＰＧを実行するＣＰＵ１１の制御により、ステップＳ２０３にて抽出した物品の名称並びにステップＳ２０６にて抽出した種類の名称に基づいて当該物品、ここでは製品の名称を作成する（Ｓ２０７）。
ステップＳ２０６で作成される製品の名称とは、「製品Ｘ０１  青  Ｓサイズ」というように物品の名称及び種類の名称を予め標準化している規則に則って組み合わせた品名を示す名称である。
なおこのとき物品特定情報及び種類特定情報に基づいて「Ｘ０１−０２Ｓ」というような品番を示す名称も作成される。
生産管理支援装置１０では、ＲＡＭ１４に記憶させたコンピュータプログラムＰＧを実行するＣＰＵ１１の制御により、構成データベース１３ｂを参照して、ステップＳ２０１にて入力情報として受け付けた物品特定情報を上位の物品の物品特定情報とするレコードの有無を判定し（Ｓ２０８）、レコードが有ると判定した場合（Ｓ２０８：ＹＥＳ）、当該物品特定情報を検索キーとして、構成データベース１３ｂから下位の物品の物品特定情報を抽出し（Ｓ２０９）、数量を抽出し（Ｓ２１０）、更に構成付属情報を抽出する（Ｓ２１１）。
【００４３】
生産管理支援装置１０では、ＲＡＭ１４に記憶させたコンピュータプログラムＰＧを実行するＣＰＵ１１の制御により、ステップＳ２０１にて入力情報として受け付けた種類特定情報及びステップＳ２０９にて抽出した物品特定情報、並びにステップＳ２０１にて入力情報として受け付けた数量及びステップＳ２１０にて抽出した数量に基づいて入力情報を生成する（Ｓ２１２）。
【００４４】
そして生産管理支援装置１０では、ＲＡＭ１４に記憶させたコンピュータプログラムＰＧを実行するＣＰＵ１１の制御により、ステップＳ２１２にて生成された入力情報を、ステップＳ１０１にて受け付けた入力情報に換わる新たな入力情報としてステップＳ２０３に進み、新たな入力情報及び各データベースに基づいて以降の処理を繰り返す。
なお入力情報が複数である場合は、夫々の入力情報について同様の処理を行う。
【００４５】
そして最上位の物品である製品から最下位の物品にまで同様の処理を階層的に繰り返し、全ての物品について各種情報の生成及び名称の作成が完了した場合、即ちステップＳ２０８の判定にて、入力情報の物品特定情報を上位の物品の物品特定情報とするレコードが無いと判定した場合（Ｓ２０８：ＮＯ）、生産管理支援装置１０では、ＲＡＭ１４に記憶させたコンピュータプログラムＰＧを実行するＣＰＵ１１の制御により、ステップＳ２０１にて入力情報として受け付けた製品の数量及び種類特定情報により特定される仕様の種類、ステップＳ２０２にて抽出された関連種類特定情報により特定される関連仕様の種類、並びにステップＳ２０３乃至Ｓ２１２の処理により階層的に抽出された物品の名称、物品付属情報、構成付属情報及び数量に基づく、ステップＳ２０７にて作成した名称が示された生産管理情報を生成し（Ｓ２１３）、生成した生産管理情報を出力手段１６から出力する（Ｓ２１４）。
【００４６】
図１３は本発明の実施の形態２における生産管理支援装置１０から出力される生産管理情報を示す説明図である。
生産管理情報には、品番及び品名等の名称、数量、物品付属情報及び構成付属情報が物品毎に示されている。
最上位の物品は、品番「Ｘ０１−０２Ｓ」及び品名「製品Ｘ０１  青  Ｓサイズ」という名称の製品の他、製品を生産するために要する下位の物品についての情報が示されており、特に品番「Ｙ０１−０２１２」及び品名「部品Ｙ０１  青φ１２０」という様に物品の調達先にて用いられる用語に応じて名称の使い分けが行われている。
【００４７】
前記実施の形態では、汎用コンピュータを用いた生産管理支援装置１０を単独で稼動させる形態を示したが、本発明はこれに限らず、サーバコンピュータを用いた生産管理支援装置１０にクライアントコンピュータを接続し、クライアントコンピュータにて入力された物品特定情報等の情報を生産管理支援装置１０へ送信し、生産管理支援装置１０にて送信された情報を受け付けて処理を行い、その結果となる生産管理情報をクライアントコンピュータへ出力する形態でも良い。更に物品データベース及び構成データベース等の各種データベースを生産管理支援装置１０に接続する他の装置内に構築する形態であっても良い。
【００４８】
（付記１）下位の物品から上位の物品を生産する生産工程にて生産される最上位の物品である製品の生産管理を支援する生産管理支援装置を用いた生産管理方法において、前記生産管理支援装置は、最上位の物品である製品を特定する物品特定情報、物品の仕様の種類を特定する種類特定情報及び数量を受け付け、物品特定情報に基づいて、上位の物品の生産に要する下位の物品の物品特定情報及び下位の物品の数量を記録する構成データベースから下位の物品の物品特定情報及び数量を抽出し、物品特定情報に基づいて、物品を特定する物品特定情報に対応付けて物品に関する物品付属情報を記録する物品データベースから物品付属情報を抽出し、受け付けた製品の数量及び種類特定情報により特定される仕様の種類、並びに階層的に抽出される物品付属情報、下位の物品の物品特定情報及び数量に基づいて生産管理に要する生産管理情報を生成することを特徴とする生産管理方法。
（付記２）下位の物品から上位の物品を生産する生産工程にて生産される最上位の物品である製品の生産管理を支援する生産管理支援装置において、物品を特定する物品特定情報に対応付けて物品に関する物品付属情報を記録する物品データベースと、上位の物品の生産に要する下位の物品の物品特定情報及び下位の物品の数量を記録する構成データベースと、最上位の物品である製品を特定する物品特定情報、仕様の種類を特定する種類特定情報及び数量を受け付ける手段と、物品特定情報に基づいて、下位の物品の物品特定情報及び数量を構成データベースから抽出する手段と、物品特定情報に基づいて、物品データベースから物品付属情報を抽出する手段と、受け付けた製品の数量及び種類特定情報により特定される仕様の種類、並びに階層的に抽出される物品付属情報、下位の物品の物品特定情報及び数量に基づいて生産管理に要する生産管理情報を生成する生成手段とを備えることを特徴とする生産管理支援装置。
（付記３）下位の物品から上位の物品を生産する生産工程にて生産される最上位の物品である製品の生産管理を支援する生産管理支援装置において、物品を特定する物品特定情報に対応付けて物品に関する物品付属情報を記録する物品データベースにアクセスする手段と、上位の物品の生産に要する下位の物品の物品特定情報及び下位の物品の数量を記録する構成データベースにアクセスする手段と、最上位の物品である製品を特定する物品特定情報、仕様の種類を特定する種類特定情報及び数量を受け付ける手段と、物品特定情報に基づいて、下位の物品の物品特定情報及び数量を構成データベースから抽出する手段と、物品特定情報に基づいて、物品データベースから物品付属情報を抽出する手段と、受け付けた製品の数量及び種類特定情報により特定される仕様の種類、並びに階層的に抽出される物品付属情報、下位の物品の物品特定情報及び数量に基づいて生産管理に要する生産管理情報を生成する生成手段とを備えることを特徴とする生産管理支援装置。
（付記４）前記物品データベースは、物品特定情報に対応付けて物品の名称及び物品の仕様の項目を記録してあり、仕様の項目、該項目に属する仕様の種類を特定する種類特定情報、及び種類の名称を対応付けて記録する仕様データベースと、物品特定情報に基づいて、物品データベースから物品の名称及び仕様の項目を抽出する手段と、抽出した仕様の項目及び受け付けた種類特定情報に基づいて、仕様データベースから種類の名称を抽出する手段と、抽出した物品の名称及び種類の名称に基づいて製品の名称を作成する手段とを備え、前記生成手段は、作成した製品の名称を示した生産管理情報を生成すべくなしてあることを特徴とする付記２及び付記３に記載の生産管理支援装置。
（付記５）下位の物品から上位の物品を生産する生産工程にて生産される最上位の物品である製品の生産管理を支援する生産管理支援装置において、仕様の項目に属する仕様の種類を特定する種類特定情報、及び仕様の項目に関連する仕様を示す関連仕様の種類を特定する関連種類特定情報を対応付けて記録する関連仕様データベースと、物品を特定する物品特定情報に対応付けて物品の名称、物品に関する物品付属情報、物品の仕様の項目及び関連仕様の項目を記録する物品データベースと、仕様の項目、該項目に属する仕様の種類を特定する種類特定情報、及び仕様の種類の名称、又は関連仕様の項目、該項目に属する関連仕様の種類を特定する関連種類特定情報、及び関連仕様の種類の名称を対応付けて記録する仕様データベースと、上位の物品の生産に要する下位の物品の物品特定情報及び下位の物品の数量を記録する構成データベースと、最上位の物品である製品を特定する物品特定情報、種類特定情報及び数量を受け付ける手段と、種類特定情報に基づいて、関連仕様データベースから関連種類特定情報を抽出する手段と、物品特定情報に基づいて、物品データベースから物品の名称、物品付属情報、仕様の項目及び関連仕様の項目を抽出する手段と、種類特定情報、関連仕様データベースから抽出した関連種類特定情報、物品データベースから抽出した仕様の項目及び関連仕様の項目に基づいて、仕様データベースから対応する仕様の種類の名称及び関連仕様の種類の名称を抽出する手段と、物品特定情報に基づいて、下位の物品の物品特定情報及び数量を構成データベースから抽出する手段と、受け付けた数量、仕様の種類の名称及び関連仕様の種類の名称、階層的に抽出される物品の名称、物品付属情報、下位の物品の物品特定情報及び数量に基づいて生産管理に要する生産管理情報を生成する生成手段とを備えることを特徴とする生産管理支援装置。
（付記６）下位の物品から上位の物品を生産する生産工程にて生産される最上位の物品である製品の生産管理を支援する生産管理支援装置において、仕様の項目に属する仕様の種類を特定する種類特定情報、及び仕様の項目に関連する仕様を示す関連仕様の種類を特定する関連種類特定情報を対応付けて記録する関連仕様データベースにアクセスする手段と、物品を特定する物品特定情報に対応付けて物品の名称、物品に関する物品付属情報、物品の仕様の項目及び関連仕様の項目を記録する物品データベースにアクセスする手段と、仕様の項目、該項目に属する仕様の種類を特定する種類特定情報、及び仕様の種類の名称、又は関連仕様の項目、該項目に属する関連仕様の種類を特定する関連種類特定情報、及び関連仕様の種類の名称を対応付けて記録する仕様データベースにアクセスする手段と、上位の物品の生産に要する下位の物品の物品特定情報及び下位の物品の数量を記録する構成データベースにアクセスする手段と、最上位の物品である製品を特定する物品特定情報、種類特定情報及び数量を受け付ける手段と、種類特定情報に基づいて、関連仕様データベースから関連種類特定情報を抽出する手段と、物品特定情報に基づいて、物品データベースから物品の名称、物品付属情報、仕様の項目及び関連仕様の項目を抽出する手段と、種類特定情報、関連仕様データベースから抽出した関連種類特定情報、物品データベースから抽出した仕様の項目及び関連仕様の項目に基づいて、仕様データベースから対応する仕様の種類の名称及び関連仕様の種類の名称を抽出する手段と、物品特定情報に基づいて、下位の物品の物品特定情報及び数量を構成データベースから抽出する手段と、受け付けた数量、仕様の種類の名称及び関連仕様の種類の名称、階層的に抽出される物品の名称、物品付属情報、下位の物品の物品特定情報及び数量に基づいて生産管理に要する生産管理情報を生成する生成手段とを備えることを特徴とする生産管理支援装置。
（付記７）コンピュータに、下位の物品から上位の物品を生産する生産工程にて生産される最上位の物品である製品の生産管理を支援させるコンピュータプログラムにおいて、最上位の物品である製品を特定する物品特定情報、物品の仕様の種類を特定する種類特定情報及び数量を受け付けた場合に、コンピュータに、物品特定情報に基づいて、上位の物品の生産に要する下位の物品の物品特定情報及び下位の物品の数量を記録する構成データベースから下位の物品の物品特定情報及び数量を抽出させる手順と、コンピュータに、物品特定情報に基づいて、物品を特定する物品特定情報に対応付けて物品に関する物品付属情報を記録する物品データベースから物品付属情報を抽出させる手順と、コンピュータに、受け付けた製品の数量及び種類特定情報により特定される仕様の種類、並びに階層的に抽出される物品付属情報、下位の物品の物品特定情報及び数量に基づいて生産管理に要する生産管理情報を生成させる手順とを実行させることを特徴とするコンピュータプログラム。
【００４９】
【発明の効果】
以上詳述した如く本発明に係る生産管理方法、生産管理支援装置及びコンピュータプログラムでは、物品の発注先、リードタイム、作業時間及び勘定項目等の物品付属情報を記録した物品データベースと、上位の物品の生産に要する下位の物品の物品特定情報及び数量を記録した構成データベースと、製品の色及びサイズ等の仕様の項目、該項目に属する白及び青等の仕様の種類を特定する種類特定情報、及び種類の名称を記録した仕様データベースとを用いて、製品の物品特定情報、種類特定情報及び数量を受け付ける毎に、製品を生産するための物品の階層構造に基づき仕様の種類に関する情報を抽出して生産管理情報を生成することにより、例えば多品種生産により製品の仕様の種類が増加した場合でも仕様データベースの種類についての情報及び物品データベースの仕様の項目等の関連するレコードだけを修正すれば良く、増加した種類に関連する全ての製品に関するレコードを修正する必要が無いので、データベース管理作業に要する負荷を軽減することが可能である等、優れた効果を奏する。
【００５０】
また本発明では、物品データベースから抽出した物品の名称及び仕様データベースから抽出した種類の名称に基づいて製品の名称を作成することにより、製品の命名方法を標準化することが可能である等、優れた効果を奏する。
【００５１】
さらに本発明では、下位の物品の購入等の調達を行う場合に、調達先にて用いられている用語に応じてＳサイズ及びφ１２０等の名称の使い分けを行うことにより、調達先にて用いられている用語の差異を意識することなく物品の調達を円滑に行うことが可能である等、優れた効果を奏する。
【図面の簡単な説明】
【図１】本発明の実施の形態１における生産管理支援装置の構成を示すブロック図である。
【図２】本発明の実施の形態１における生産管理支援装置が備える物品データベースの記録内容を概念的に示す説明図である。
【図３】本発明の実施の形態１における生産管理支援装置が備える構成データベースの記録内容を概念的に示す説明図である。
【図４】本発明の実施の形態１における生産管理支援装置が備える仕様データベースの記録内容を概念的に示す説明図である。
【図５】本発明の実施の形態１における生産管理支援装置により生産管理を支援される製品の構成を概念的に示すブロック図である。
【図６】本発明の実施の形態１における生産管理支援装置の処理を示すフローチャートである。
【図７】本発明の実施の形態１における生産管理支援装置から出力される生産管理情報を示す説明図である。
【図８】本発明の実施の形態２における生産管理支援装置の構成を示すブロック図である。
【図９】本発明の実施の形態２における生産管理支援装置が備える物品データベースの記録内容を概念的に示す説明図である。
【図１０】本発明の実施の形態２における生産管理支援装置が備える仕様データベースの記録内容を概念的に示す説明図である。
【図１１】本発明の実施の形態２における生産管理支援装置が備える関連仕様データベースの記録内容を概念的に示す説明図である。
【図１２】本発明の実施の形態２における生産管理支援装置の処理を示すフローチャートである。
【図１３】本発明の実施の形態２における生産管理支援装置から出力される生産管理情報を示す説明図である。
【図１４】従来の生産管理支援装置により生産管理を支援される製品の構成を概念的に示すブロック図である。
【符号の説明】
１０  生産管理支援装置
１１  ＣＰＵ
１２  補助記憶手段
１３  記録手段
１４  ＲＡＭ
１５  入力手段
１６  出力手段
１３ａ  物品データベース
１３ｂ  構成データベース
１３ｃ  仕様データベース
１３ｄ  関連仕様データベース
ＰＧ  コンピュータプログラム
ＲＥＣ  記録媒体
【図１】
2004192281.tif 000003
【図２】
2004192281.tif 000004
【図３】
2004192281.tif 000005
【図４】
2004192281.tif 000006
【図５】
2004192281.tif 000007
【図６】
2004192281.tif 000008
【図７】
2004192281.tif 000009
【図８】
2004192281.tif 000010
【図９】
2004192281.tif 000011
【図１０】
2004192281.tif 000012
【図１１】
2004192281.tif 000013
【図１２】
2004192281.tif 000014
【図１３】
2004192281.tif 000015
【図１４】
2004192281.tif 000016